(57)【要約】【課題】電気機器における待機電力を制御することにより、電気機器の消費電力を低減させる。【解決手段】例えば電気機器の時計用カウンタのバックアップに用いるバックアップ用充電電源７を利用して、電気機器が待機モードに移行したときに、必要な回路部に対して待機電力を供給させる。この場合、バックアップ用充電電源７の出力を監視する手段をシステム制御用回路８に設け、待機モード時にバックアップ用充電電源７の出力が不十分になったときには、スイッチ２を切り換えてＡＣ／ＤＣ変換回路３から待機電力を出力させる。そしてさらに、待機電力に移行した時点からタイマーを用いて時間をカウントし、予め定められた時間が経過したときにさらに待機電力そのものをカットして、待機モードよりもさらに消費電力の少ないモード（第２の待機モード）に移行する。【選択図】図１
2006352963.tif 000002
【特許請求の範囲】
【請求項１】
通常動作モードと、該通常動作モードよりも消費電力の少ない待機モードとを動作モードとして切り換え可能とした電源供給システムであって、該電源供給システムは、前記通常動作モードにおいて交流電源をＡＤ変換して供給するためのＡＣ／ＤＣ変換回路と、電気機器が備える時計用のカウンタをバックアップするためのバックアップ用充電電源とを有し、前記電気機器が前記通常動作モードから前記待機モードに移行したときに、前記待機モードに必要とされる回路部に対する電力供給を、前記ＡＣ／ＤＣ変換回路からの電力供給から、前記バックアップ用充電電源からの電力供給に切り換えることを特徴とする電源供給システム。
【請求項２】
請求項１に記載の電源供給システムにおいて、該電源供給システムは、前記待機モード時に前記バックアップ用充電電源から供給される電力の電圧を監視するバックアップ用充電電源監視手段と、該バックアップ用充電電源監視手段による監視結果、前記待機モード時に必要とする電圧が前記バックアップ用充電電源から得られなくなったときは、前記待機モード時における電力供給を、前記ＡＣ／ＤＣ変換回路から供給される電力に切り換えることを特徴とする電源供給システム。
【請求項３】
請求項１または２に記載の電源供給システムにおいて、該電源供給システムは、前記待機モードとして、前記通常動作モードより消費電力の少ない第１の待機モードと、該第１の待機モードより更に消費電力が少ない第２の待機モードとを切り換え可能としたことを特徴とする電源供給システム。
【請求項４】
請求項３に記載の電源供給システムにおいて、該電源供給システムは、前記通常動作モードから前記第１の待機モードに移行したときに該第１の待機モードに移行した時点からの時間を計測する時間計測手段を有し、該時間計測手段による計測結果に従って予め定めた所定時間が経過したときに、前記第１の待機モードから前記第２の待機モードに移行可能としたことを特徴とする電源供給システム。
【請求項５】
請求項２に記載の電源供給システムにおいて、前記第２の待機モードは、前記第１の待機モード時に電力を供給していた全ての回路部に対する電力供給を停止した状態であることを特徴とする電源供給システム。
【請求項６】
請求項４または５に記載の電源供給システムにおいて、該電源供給システムは、前記第１の待機モードから前記第２の待機モードに移行するか否かをユーザ設定に基づいて決定することを特徴とする電源供給システム。
【請求項７】
請求項１ないし６のいずれか１に記載の電源供給システムにおいて、該電源供給システムは、前記待機モードで前記電源回路から電力を供給する回路部を、ユーザ設定に基づいて決定することを特徴とする電源供給システム。
【請求項８】
請求項１ないし７のいずれか１に記載の電源供給システムを備え、該電源供給システムによって動作することを特徴とする電気機器。
【請求項９】
請求項８に記載の電気機器において、該電気機器は、テレビジョン装置であることを特徴とする電気機器。
【発明の詳細な説明】
【技術分野】
【０００１】
本発明は、電源供給システム、及び該電源供給システムを備えた電気機器に関し、より詳細には、電気機器の待機モード時における各ユニットへの電力供給を合理化し、低消費電力化を実現できるようにした電源供給システムに関する。
【背景技術】
【０００２】
例えば、液晶ディスプレイを利用したテレビ等の電気機器等において、待機モードあるいはスタンバイモードと呼ばれるモードに移行することにより、その機器の消費電力を低減させる機能が付与されている。機器が待機モードに移行すると、その待機モードにおいて最低限必要な機能のみが動作し、他の機能を実現する回路やユニット等には電力が供給されないようになっている。
【０００３】
例えば、ＬＣＤを用いた液晶テレビでは、ユーザがリモコン装置を操作してテレビジョン装置の電源をＯＦＦにすることにより、液晶テレビは通常の動作モードから待機モードに移行する。ここでは、表示装置のバックライトの駆動部や、ＬＣＤパネルの駆動部、オーディオ出力やビデオ出力のための処理部等への電力供給が絶たれ、待機モード時に必要なリモコン受光部（赤外線受光回路）やマイコン、時計、タイマー等に対して、電源回路から電力が供給される。そしてこのような機構により、待機モード時における電力消費を削減できるようにしている。
【０００４】
上記のような液晶テレビのみならず、各種の家電機器等には消費電力の低減化に関する強い要求が存在する。
例えば上記の液晶テレビ等の電源回路では、待機モード時には電源回路のＡＣ／ＤＣ変換回路を動作させて、その出力電圧で上記待機モード時の動作を必要とするマイコン等に電力を供給していた。このときに、待機モード時の消費電力自体を低減化することがさらに求められている。
【０００５】
上記のような待機モードにおける消費電力の低減を図る技術に関し、例えば、特許文献１には、ＡＣ／ＤＣ変換回路を常時動作させずに電荷蓄積手段、例えば２次電池や電気２重層コンデンサに電気を貯えてマイコン及び赤外線受光回路の電力を供給するようにした電源回路が開示されている。ここでは、これら電荷蓄積手段の電圧が所定の値より、具体的にはマイコン及び赤外線受光回路の動作最低電圧以下に下がる前にＡＣ／ＤＣ変換回路を動作させて電荷蓄積手段を充電し、所定の電圧以上、具体的にはマイコン及び赤外線受光回路の動作最高電圧に上がる前に充電を停止する。このようにしてＡＣ／ＤＣ変換回路の動作頻度を減少させて最も電力効率の悪いＡＣ／ＤＣ変換回路での電力を低減することにより全体的な待機時消費電力を低減している。
【０００６】
また特許文献２では、リモコンオフ操作による待機時に外部の電源から待機回路への電力供給を不要にして、待機電力の低減を図るようにした電子機器が開示されている。ここでは、電子機器の内部に蓄電部品を設け、この蓄電部品を電子機器の筐体に取り付けた太陽電池パネルにより充電するようにして、待機時に蓄電部品から待機回路に電力を供給している。
【特許文献１】特開２０００−１８４７１６号公報
【特許文献２】特開２０００−３０８２５５号公報
【発明の開示】
【発明が解決しようとする課題】
【０００７】
従来の待機モードでは、待機時の消費電力が大きく、さらなる低消費電力化が求められる。例えば、待機モード時に待機時電力を供給するユニットや回路のうち、ユーザによっては必要としない部分にまで電力を供給している場合もある。このような場合には無駄な待機時電力を消費していることになる。
また例えば、上記の特許文献１の電荷蓄積手段や、特許文献２の充電部のように回路を別に設ける場合は、電源回路の構成が複雑となって合理的とはいえない。
【０００８】
本発明は、上述のごとき実情に鑑みてなされたもので、液晶テレビ等の電気機器における待機電力を制御することにより、電気機器の消費電力を低減できるようにした電源供給システム、及び該電源供給システムを備える電気機器を提供することを目的とするものである。
【課題を解決するための手段】
【０００９】
上記課題を解決するために、第１の技術手段は、通常動作モードと、通常動作モードよりも消費電力の少ない待機モードとを動作モードとして切り換え可能とした電源供給システムであって、電源供給システムは、通常動作モードにおいて交流電源をＡＤ変換して供給するためのＡＣ／ＤＣ変換回路と、電気機器が備える時計用のカウンタをバックアップするためのバックアップ用充電電源とを有し、電気機器が通常動作モードから待機モードに移行したときに、待機モードに必要とされる回路部に対する電力供給を、ＡＣ／ＤＣ変換回路からの電力供給から、バックアップ用充電電源からの電力供給に切り換えることを特徴としたものである。
【００１０】
第２の技術手段は、第１の技術手段において、電源供給システムが、待機モード時にバックアップ用充電電源から供給される電力の電圧を監視するバックアップ用充電電源監視手段と、バックアップ用充電電源監視手段による監視結果、待機モード時に必要とする電圧がバックアップ用充電電源から得られなくなったときは、待機モード時における電力供給を、ＡＣ／ＤＣ変換回路から供給される電力に切り換えることを特徴としたものである。
【００１１】
第３の技術手段は、第１または第２の技術手段において、電源供給システムが、待機モードとして、通常動作モードより消費電力の少ない第１の待機モードと、第１の待機モードより更に消費電力が少ない第２の待機モードとを切り換え可能としたことを特徴としたものである。
【００１２】
第４の技術手段は、第３の技術手段において、電源供給システムが、通常動作モードから第１の待機モードに移行したときに第１の待機モードに移行した時点からの時間を計測する時間計測手段を有し、時間計測手段による計測結果に従って予め定めた所定時間が経過したときに、第１の待機モードから第２の待機モードに移行可能としたことを特徴としたものである。
【００１３】
第５の技術手段は、第２の技術手段において、第２の待機モードが、第１の待機モード時に電力を供給していた全ての回路部に対する電力供給を停止した状態であることを特徴としたものである。
【００１４】
第６の技術手段は、第４または第５の技術手段において、電源供給システムが、第１の待機モードから第２の待機モードに移行するか否かをユーザ設定に基づいて決定することを特徴としたものである。
【００１５】
第７の技術手段は、第１ないし第６のいずれか１の技術手段において、電源供給システムが、待機モードで電源回路から電力を供給する回路部を、ユーザ設定に基づいて決定することを特徴としたものである。
【００１６】
第８の技術手段は、第１ないし第７のいずれか１の技術手段における電源供給システムを備え、電源供給システムによって動作することを特徴とする電気機器である。
【００１７】
第９の技術手段は、第８の技術手段において、電気機器が、テレビジョン装置であることを特徴としたものである。
【発明の効果】
【００１８】
本発明によれば、液晶テレビ等の電気機器における待機電力を制御することにより、電気機器の消費電力を低減できるようにした電源供給システム、及び該電源供給システムを備える電気機器が得られる。
【００１９】
すなわち本発明の構成により、従来に比して回路をそれほど複雑にすることなく、簡易な構成で低消費電力を実現することができる。また、待機モード時にはまずバックアップ用充電電源から電力を供給することにより、例えば短時間の電源ＯＦＦの状態であれば、消費電力を実質的にゼロにすることができる。またバックアップ用充電電源として、時計用カウンタをバックアップするための従来のバックアップ電源（バックアップコンデンサ）を使用することにより、そのバックアップコンデンサの寿命を延ばすことができる。
【００２０】
また待機モード時に、第１の待機モードと、さらにそれよりも消費電力の少ない第２の待機モードを設けることにより、第１の待機モードで所定時間で維持されたときに、さらに低消費電力の第２の待機モードに移行することで、より消費電力の小さい電源供給システムを提供することができる。
このときに第２の待機モード時には、全ての回路部に対する電力供給を停止することにより、より低消費電力の電源供給システムを提供することができる。
【００２１】
また上記第２の待機モードへの移行の可否をユーザ設定に応じて決定できるようにしたり、待機モード時において電源供給を行う回路部（第１及び第２の待機モードが設定されている場合は、それぞれの待機モードにおいて電源供給を行う回路部）をユーザ設定に応じて決定できるようにすることにより、ユーザが所望する条件で待機モードの移行とそのときの電力供給先を設定することができ、ユーザの利便性を高めることができる。
【００２２】
また上記の機能を備えた電源供給システムによって、液晶テレビ等の電気機器を提供することができる。
【発明を実施するための最良の形態】
【００２３】
図１は、本発明の電源供給システムを適用可能な液晶テレビにおける電源供給系の構成例を示す図である。なお図１に示す液晶テレビの構成は、本発明の電源供給システムを適用する家電機器等の一例を示すものであって、電源供給システムを適用する機器や装置を限定するものではない。
図１において、液晶テレビの商用電源コネクタ１を介して供給された交流電力は、スイッチ（ＳＷ）２でスイッチングされ、ＡＣ／ＤＣ変換回路３にて直流変換されて電源安定化回路４に入る。電源安定化回路４は変圧器、整流回路、平滑回路、安定化回路等を有し、供給された直流電力からシステムを制御するために必要とする電圧を生成して出力する。
【００２４】
電源安定化回路４からの直流電力は、その他の負荷回路９として示される、液晶テレビの機能を実現する各種の回路部へ供給される。
例えば液晶テレビにおいては、液晶ディスプレイ（ＬＣＤ）を照明するためのバックライトユニットを構成するインバータ回路、音声出力処理を行うための音声処理部、ＬＣＤ他の外部表示装置に映像を表示させるために映像信号に対する各種の処理（入力、受信、選局、デコード、画質調整等）を行う映像処理部、あるいはＬＣＤのドライバ等に供給される。
【００２５】
また電源安定化回路４からの直流電力は、システム制御用回路８、赤外線受光部５、ＬＥＤ回路６、及びバックアップ用充電電源７に供給される。
赤外線受光部５は、液晶テレビの図示しないリモコン装置から送信される赤外線による操作信号を受信する。またＬＥＤ回路６には、リモコン装置による操作に従って液晶テレビの電源ＯＮ／ＯＦＦの状態を示すＬＥＤが付与されている。この電源表示用のＬＥＤは、リモコン装置によって液晶テレビの電源がＯＦＦになった場合には例えば赤色を発光し、ＯＮになった場合には緑色を発光する。
【００２６】
システム制御用回路８は、待機モードと通常動作モードとにおける電源切り換え等の制御を行う。例えば液晶テレビが通常動作モードにある場合は、電源安定化回路４から供給される電力は、赤外線受光部５と、ＬＥＤ回路６と、バックアップ用充電電源７とに加えて、上記バックライトユニットや音声処理部、ＬＣＤ等のその他の負荷回路９に供給される。
【００２７】
そして通常動作モードの動作状態から、例えば、ユーザがリモコン装置を操作して液晶テレビの電源をＯＦＦにした場合、システム制御用回路８は低消費電力の待機モードに入る。ここでは、待機モードに必要な部分のみに電力を供給し、他の不必要な部分への電力供給を停止する。図１の例では、待機モードでは、ＡＣ／ＤＣ変換回路３で変換された直流電力を、赤外線受光部５、ＬＥＤ回路６、バックアップ用充電電源７、及びシステム制御用回路８に供給し、その他の負荷回路９への電力供給を遮断する。
【００２８】
バックアップ用充電電源７は、バックアップ用のコンデンサを有して構成され、本来は、例えば商用電源コネクタ１がコンセントから抜かれた場合に、液晶テレビの時計用のカウンタをバックアップするために設けられている。これにより、例えばユーザが商用電源コネクタ１をコンセントから外して、液晶テレビを移動させるような場合であっても、設定された時計がリセットされずにすむようになっている。
【００２９】
そして本実施形態では、上記のカウンタ用に用いるバックアップ用充電電源７を利用して、液晶テレビが待機モードに移行したときに、必要な回路部に対して待機電力を供給させるようにする。そしてさらに、待機電力に移行した時点からタイマーを用いて時間をカウントし、予め定められた時間が経過したときにさらに待機電力そのものをカットして、待機モードよりもさらに消費電力の少ないモード（ここでは第２の待機モードとする）に移行する。
【００３０】
すなわち本実施形態において、所定のユーザ操作によって液晶テレビが待機モードに移行したときに、システム制御用回路８は、スイッチ２を制御してＡＣ／ＤＣ変換回路３への電力供給を停止させる。
そしてこのときに待機モード時に必要とする電力は、バックアップ用充電電源７から供給させる。待機モード時にバックアップ用充電電源７から電力を供給する部分（回路部）は、赤外線受光部５、ＬＥＤ回路６、及びシステム制御用回路８である。
【００３１】
バックアップ用充電電源７は、その容量と電力供給先の電力消費量に応じて待機モード時の電力供給を続ける。そして、バックアップ用充電電源７による供給電力の電圧が低下し、待機モード時に必要とする部分に電力を供給できなくなったときに、システム制御用回路８は、スイッチ２を切り換えて再度ＡＣ／ＤＣ変換回路３に交流電源を供給させるようにする。これによって、待機モード時における電力供給を遮断させることなく必要とする部分への電力供給を継続させることができる。
【００３２】
そして、待機モード時における電源安定化回路４からの電力は、バックアップ用充電電源７にも供給され、バックアップ用充電電源７が充電された時点で、再度スイッチ２を切り換えてバックアップ用充電電源７からの電力供給を行うようにしてもよい。
【００３３】
この場合、システム制御用回路８には、バックアップ用充電電源７を監視するための回路（バックアップ用充電電源監視部）が設けられている。バックアップ用充電電源監視部は、待機モード時に電力供給を行うバックアップ用充電電源を監視して、上記のように待機モード時に必要とする部分に電力供給ができなくなったときに、スイッチ２を切り換えてＡＣ／ＤＣ変換回路３に交流電源を供給させる。また待機モード時にＡＣ／ＤＣ変換回路３から電力が供給されているときに、バックアップ用充電電源７が充電された時点で、再度スイッチ２を切り換えてバックアップ用充電電源７から電力を供給させる。なお、上記バックアップ用充電電源監視部が、本発明のバックアップ用充電電源監視手段に該当する。
【００３４】
上記の構成では、従来から時計用のカウンタのバックアップ用として使用していたバックアップ用充電電源７を使用して、待機モード時にそのバックアップ用充電電源７から電力を供給することにより、従来の回路構成を大きく変更することなく待機モード時の消費電力を低減させることができる。
【００３５】
さらに本実施形態では、待機モードに移行した時点からの時間をカウントし、予め定めた時間が経過したときに、さらに待機モード時に供給していた電力を停止させ、待機モードから更に低消費電力の第２の待機モードに移行する。
【００３６】
本実施形態では、待機モード（第１の待機モード）に移行した時からの時間を計測する時間計測手段（タイマー）をシステム制御用回路８に設け、ユーザ操作に従って液晶テレビが第１の待機モードに移行したとき、時間計測手段によって経過時間を計測し、予め定められた時間が経過した時点で第１の待機モード時に供給していた回路への電力供給を停止して第２の待機モードに移行する。この場合、第１の待機モードにおいて、バックアップ用充電電源７から赤外線受光部５、ＬＥＤ回路６、及びシステム制御用回路８へ電力を供給していた場合は、これらへの電力供給を停止させ、またバックアップ用充電電源７の充電量が少なくＡＣ／ＤＣ変換回路３から、赤外線受光部５、ＬＥＤ回路６、バックアップ用充電電源７、及びシステム制御用回路８へ電力を供給していた場合は、これらへの電力供給を停止させる。
【００３７】
第２の待機モードでは、リモコン信号を受信する回路部（赤外線受光部５，システム制御用回路８等）への電力供給も停止するため、ユーザが通常動作モードに復帰させる場合には、リモコン装置を使用することができず、液晶テレビ本体に設けられている電源ボタンを操作することによって通常動作モードに復帰することができる。
【００３８】
時間計測手段は、待機モード時にも動作している時計用のカウンタを利用して、通常動作モードから待機モードへの移行時からの時間を計測する。また、通常動作モードから待機モードへの移行時からの時間計測を行うための専用のタイマ回路を設けてもよい。
【００３９】
時間計測手段に基づく第２の待機モードへの移行の時間は、予めユーザ設定によって定めることができる。図２は、待機モードの動作を設定するためのメニュー画面の一例を示す図である。
例えば、液晶テレビでは、リモコン装置や本体操作部に設けられたメニューボタンを押すことによりメニュー画面が表示され、ユーザはそのメニュー画面を利用して各種機能の設定を行うことができる。
【００４０】
図２（Ａ）に示すように、ユーザがメニューボタンを押したときに液晶テレビ１０の表示画面に第１階層のメニュー画面１１が表示される。ここでは、“映像調整”，“音声調整”，“本体設定”，“機能切換”，及び“カード設定”の項目分類により各種の設定を行うことができる。
【００４１】
そして図２（Ｂ）に示すように、例えばユーザがリモコン装置の方向キーを利用して“本体設定”１２にカーソルを移動させると、“待機モード設定”１３項目が表示される。
ユーザはこの“待機モード設定”１３をさらに選択して決定ボタンを押すことにより、例えば図２（Ｃ）に示すような待機モード設定の第２階層の入力画面が表示される。
ここでは待機モード時に、所定時間後にさらに第２の待機モードに移行する機能のＯＮ／ＯＦＦ設定や、上記第２の待機モードへの移行がＯＮである場合に、第１の待機モードに移行した後に第２の待機モードに移行するまでの時間設定を可能とする表示が行われる。ユーザは、これらの画面から、方向キーや決定キーを用いて任意の設定を行うことができる。
【００４２】
またこの他、待機モード時、及び第２の待機モードにおける電力供給先を設定できるようにしてもよい。
ユーザは、所定のメニュー画面において、待機モード時及び第２の待機モード時に供給すべき回路部を任意に設定することができる。例えば、デジタルチューナを内蔵したデジタルユニット等が液晶テレビに内蔵されている場合、デジタルユニットにおける番組情報の取得処理等を行うために、待機モード時にも電力供給を行うように設定することができる。すなわちここでは、ユーザの必要に応じて、待機モード時にも電力を供給する回路部を任意に設定できるようにする。
【００４３】
またユーザ設定を可能とする構成は第２の待機モードにおいても同様であり、ユーザ設定に応じて、第２の待機モード時に全ての回路部に対する電源供給を停止してしまってもよく、また一部の回路部に対して電源供給を行うように設定できるようにする。
例えば、時計用のカウンタを用いた時間情報を画面表示させたいような場合には、第２の待機モード時においてもその時計表示を行うための処理系と表示画面とに所定レベルの電力を供給させるように設定することができる。すなわちここでは、ユーザの必要に応じて、第２の待機モード時においても電力を供給する回路部を任意に設定できるようにする。
【００４４】
上記のような構成により、本実施形態の電源供給システムは、従来に比して回路をそれほど複雑にすることなく、簡易な構成で低消費電力を実現することができる。また、待機モード時にはまずバックアップ用充電電源７から電力を供給することにより、例えば短時間の電源ＯＦＦの状態であれば、消費電力を実質的にゼロにすることができる。またバックアップ用充電電源７として、時計用カウンタをバックアップするための従来のバックアップ電源（バックアップコンデンサ）を使用することにより、そのバックアップコンデンサの寿命を延ばすことができる。すなわちコンデンサは、充電されている状態が最も負荷が高いが、これを意図的に放電することにより負荷を軽減して寿命を延ばすことができるようになる。
【００４５】
また第２の待機モードへの移行の可否をユーザ設定に応じて決定できるようにしたり、待機モード時において電源供給を行う回路部（第１及び第２の待機モードが設定されている場合は、それぞれの待機モードにおいて電源供給を行う回路部）をユーザ設定に応じて決定できるようにすることにより、ユーザが所望する条件で待機モードの移行とそのときの電力供給先を設定することができ、ユーザの利便性を高めることができる。
【００４６】
図３は、液晶テレビによる図１の実施形態におけるその他の負荷回路９の具体例を説明するための図である。
図４に示す液晶テレビでは、電源安定化回路４から供給される直流電力は、液晶ディスプレイ（ＬＣＤ）を照明するためのバックライトユニットを構成するインバータ回路９１、音声出力処理を行うための音声処理部９３、ＤＣ／ＤＣ変換回路９４，及びデジタルユニット９７に供給される。インバータ回路９１は、供給された電力の電圧を昇圧し、冷陰極管等によるランプ９２を点灯させる。また音声処理部９３は、例えばパワーアンプを有し、電源安定化回路４から供給される直流電力によってパワーアンプを駆動し、スピーカから音声出力させる。
【００４７】
またＤＣ／ＤＣ変換回路９４は、電源安定化回路４から供給される直流電力を電圧変換して、映像処理部９５と、液晶パネル（ＬＣＤ）９６とに所定の電力を供給する。映像処理部９５は、ＬＣＤ９６や他の外部表示装置に映像を表示させるために映像信号に対する各種の処理を行う。例えば、放送信号の受信、選局、デコード、映像変換処理、画質改善処理等を行い、ＬＣＤ９６に対して表示すべき映像信号を出力する。またＬＣＤ９６では、ソースドライバやゲートドライバ等を駆動するための電力が供給される。
【００４８】
また本例では、その他の負荷回路９としてデジタルユニット９７が接続される構成を示している。デジタルユニット９７は、デジタルチューナを内蔵し、例えば、地上波デジタル放送、ＢＳ放送、ＣＳ放送を視聴可能とする機能を備える。ここでは、放送切り換え操作によって、ＢＳ、ＣＳ、地上波を切り換えることができ、デジタルユニット９７に対するリモコン操作によって、選局操作や番組表の確認、あるいはデータ放送等の視聴が可能となっている。また例えば地上波デジタル放送の番組表により、録画予約や視聴予約が可能である。さらには電話回線用のモデムや、ｉ．ＬＩＮＫ接続を可能とする端子等が備えられている。
【００４９】
上記のようにその他の負荷回路９として各種の機能を実現する回路部やユニットが接続されるが、上記の待機モード時にこれらの回路部やユニットに対する電力供給の有無は、適宜ユーザ設定が可能である。例えば上記のデジタルユニット９７の場合、待機モードへの移行時にＥＰＧの番組情報を取得する処理や、地上波デジタル放送のチャンネルスキャン等の処理を行うように設定されているときは、リモコン装置により電源がＯＦＦされた場合であっても所定レベルの電力供給を受ける必要がある。このような場合に、ユーザ設定により待機モード時にもデジタルユニット９７に対して所定レベルの電力供給を続行することも可能である。
【産業上の利用可能性】
【００５０】
本発明の電源供給システムは、液晶テレビの他、複数の機能に応じて供給電源を制御することにより、低消費電力化を図ることができる各種の機器や装置、システムに適用できる可能性を有している。
【図面の簡単な説明】
【００５１】
【図１】本発明の電源供給システムを適用可能な液晶テレビにおける電源供給系の構成例を示す図である。
【図２】待機モードの動作を設定するためのメニュー画面の一例を示す図である。
【図３】液晶テレビによる図１の実施形態におけるその他の負荷回路の具体例を説明するための図である。
【符号の説明】
【００５２】
１…商用電源コネクタ、２…スイッチ、３…ＡＣ／ＤＣ変換回路、４…電源安定化回路、５…赤外線受光部、６…ＬＥＤ回路、７…バックアップ用充電電源、８…システム制御用回路、９…その他の負荷回路、１０…液晶テレビ、９１…インバータ回路、９２…ランプ、９３…音声処理部、９４…ＤＣ／ＤＣ変換回路、９５…映像処理部、９６…ＬＣＤ、９７…デジタルユニット。
【図１】
2006352963.tif 000003
【図２】
2006352963.tif 000004
【図３】
2006352963.tif 000005